(57)【要約】【課題】この発明は、簡便にして容易に生体組織の形状寸法の高精度な把握を実現し得るようにして、その取扱い操作性を含む使い勝手の向上を図ることにある。【解決手段】生体組織を処置する開閉可能な一対の把持部１１１，１１２の近傍に、該把持部１１１，１１２の開き度を表示する表示部１５１及び指針１５２を設けて、一対の把持部１１１，１１２の先端から基端の間における少なくとも１ヶ所の開き度を表示するように構成したものである。【選択図】      図１
2005349022.tif 000002
【特許請求の範囲】
【請求項１】
生体組織を処置する少なくとも一方が可動自在に配された開閉可能な一対の把持部と、
前記一対の把持部の近傍に配され、前記一対の把持部の先端から基端の間における少なくとも１ヶ所の開き度を表示する表示手段と
を具備することを特徴とする手術用処置具。
【請求項２】
生体組織を処置する少なくとも一方が可動自在に配された開閉可能な一対の把持部と、
前記一対の把持部の先端から基端の間における少なくとも１ヶ所の開き度を検出する開き度検出部と、
前記開き度検出部で検出した開き度情報を表示する表示手段と
を具備することを特徴とする手術用処置具。
【発明の詳細な説明】
【技術分野】
【０００１】
この発明は、例えば外科手術等の手術において生体組織を凝固・切開等の処置を施すのに用いられる手術用処置具に関する。
【背景技術】
【０００２】
従来より、内視鏡や顕微鏡を用いる手術においては、手術用処置具として、処置部を構成するジョーと称する一対の把持部にＫＨz 帯の高周波電流もしくはＭＨz帯のラジオ波電流を供給して把持した生体組織を焼灼あるいは凝固する方式のものが知られている（例えば、特許文献１参照。）。
【０００３】
この手術用処置具は、所謂バイポーラと称され、一対の把持部の間に閉回路を形成して、その閉回路中に高周波電流もしくはラジオ波電流を流すことにより、把持した生体組織を焼灼あるいは凝固しつつ、その把持力による剪断効果により、血管を凝固しながら生体組織を切開することができる。
【０００４】
また、手術用処置具には、一対の把持部の一方に超音波振動を伝達し、把持した生体組織に超音波振動を与えることにより、生体組織との摩擦熱により該生体組織を蛋白凝固しつつ、その把持力による剪断効果により同様に凝固切開するものもある（例えば、特許文献２参照。）。
【０００５】
さらに、手術用処置具には、一対の把持部の一方に発熱体を設けて、発熱体からの熱を生体組織に加えることにより、生体組織を蛋白凝固しつつ、その把持力による剪断効果により同様に凝固切開するものもある（例えば、特許文献３参照。）。
【０００６】
ところが、上記手術用処置具では、いずれも一対の把持部で血管を含む生体組織を把持する形状寸法に制限があることや、凝固可能な組織の厚さに制限があるため、術者が処置が可能な形状寸法か否かをモニター等を見たり、直接的に目視して生体組織の形状寸法を判断しなければならないため、その取扱い操作に熟練を要することで、使い勝手の点で満足の行くものでない。
【０００７】
また、このような手術用処置具には、例えば腸管閉鎖切断のためのステープラーを使用するのに先立ち生体組織の厚さ寸法を測定し、その測定結果が手元側に配したゲージに表示する構成のものも提案されている（例えば、特許文献４参照。）。
【０００８】
しかしながら、上記手術用処置具では、測定結果が手元側のゲージに表示されるために、確認するたびに、モニターや顕微鏡の接眼部等から一旦、目を離して術部から目を逸らさなければならないことで、生体組織の測定位置を誤判定したりする虞を有を有し、使い勝手が劣る。
【特許文献１】特表平１１−５０８４６２号公報
【特許文献２】特開平９−９８９８０号公報
【特許文献３】特開平１０−８０５８１号公報
【特許文献４】米国特許第５３５８５０６号明細書
【発明の開示】
【発明が解決しようとする課題】
【０００９】
しかしながら、上記手術用処置具では、生体組織の形状寸法を判断するのに、目視による経験や感に頼らなければならないことで、その操作に熟練を要したり、あるいは生体組織の形状寸法を計測可能なものでも、その計測値を確認するのに、術者が術部から目を離して確認しなければならないために、いずれも使い勝手の点で満足の行くものでないという不都合を有する、
この発明は上記の事情に鑑みてなされたもので、簡便にして容易に生体組織の形状寸法の高精度な把握を実現し得るようにして、その取扱い操作性を含む使い勝手の向上を図った手術用処置具を提供することを目的とする。
【課題を解決するための手段】
【００１０】
この発明は、生体組織を処置する少なくとも一方が可動自在に配された開閉可能な一対の把持部と、前記一対の把持部の近傍に配され、前記一対の把持部の先端から基端の間における少なくとも１ヶ所の開き度を表示する表示手段とを備えて手術用処置具を構成した。
【００１１】
上記構成によれば、一対の把持部で生体組織を把持した状態で、該一対の把持部の所望の位置の開き度が表示手段に表示されることにより、術者は、生体組織から目を離すこと無く、生体組織を目視した状態で、その形状寸法が把握される。従って、生体組織の正確な形状寸法が確実に把握することができることで、生体組織の高精度な処置操作が可能となり、使い勝手の向上が図れる。
【００１２】
また、この発明は、生体組織を処置する少なくとも一方が可動自在に配された開閉可能な一対の把持部と、前記一対の把持部の先端から基端の間における少なくとも１ヶ所の開き度を検出する開き度検出部と、前記開き度検出部で検出した開き度情報を表示する表示手段とを備えて手術用処置具を構成した。
【００１３】
上記構成によれば、一対の把持部で生体組織を把持すると、この把持部の開き度が開き度検出部で検出され、この開き度情報が表示手段に表示されることにより、術者は、表示手段表示手段に表示される生体組織を確認しながら、その形状寸法が開き度情報に基づいて把握することができる。従って、内視鏡下及び顕微鏡下手術において、生体組織の正確な形状寸法が確実に把握することができることで、生体組織の高精度な処置操作が可能となり、使い勝手の向上が図れる。
【発明の効果】
【００１４】
この発明によれば、簡便にして容易に生体組織の形状寸法の高精度な把握を実現し得るようにして、その取扱い操作性を含む使い勝手の向上を図った手術用処置具を提供することができる。
【発明を実施するための最良の形態】
【００１５】
以下、この発明の実施の形態について、図面を参照して詳細に説明する。
【００１６】
（第１の実施の形態）
図１は、この発明の第１の実施の形態に係る手術用処置具を示すもので、挿入部１０の先端には、ジョーと称する一対の把持部１１１，１１２が回動軸１２を介して矢印方向に開閉自在に設けられる。この一対の把持部１１１，１１２は、上記挿入部１０内に内装されるリンク機構、カム機構等で形成される図示しない駆動機構を介して矢印方向に開閉駆動される。
【００１７】
また、挿入部１０の基端には、操作部１３が設けられる。この操作部１３には、固定ハンドル１４１に対して可動ハンドル１４２が回動軸１４３を介して矢印方向に回動自在に設けられ、この可動ハンドル１４２の固定ハンドル１４１に対する回動操作に連動して上記駆動機構（図示せず）を介して上記一対の把持部１１１，１１２を矢印方向に開閉させる。
【００１８】
さらに、上記挿入部１０には、一対の把持部１１１，１１２の近傍の先端部等の判りやすい位置に表示手段を構成する窓部１５が設けられる。そして、この窓部１５の側部には、寸法表示用の表示部１５１が設けられると共に、その枠内に、指針１５２が矢印方向に移動自在に設けられる。
【００１９】
この指針１５２は、上記駆動機構（図示せず）に連動され、上記一対の把持部１１１，１１２の開き幅である開き度に応じて窓部１５内を矢印方向に移動される。この場合、指針１５２は、予め、把持部１１１，１１２の先端から基端の間における所望の１ヶ所における開き度に対応するように設定される。これにより、窓部１５に配した表示部１５１及び指針１５２は、術者が一対の把持部１１１，１１２で生体組織を把持した状態において、例えば直接的に術部を目視している時、あるいは図示しない内視鏡等を利用して観察したり、図示しないＴＶモニターなどで目視している時、又は図示しない顕微鏡にて観察し接眼を経由して目視している時等の状況において術部から眼を離すこと無く、その視認が可能となる。
【００２０】
なお、窓部１５に配する指針１５２としては、一対の把持部１１１，１１２の先端から基端の間における複数ヶ所における開き度を表示可能に複数個を窓部１５に配することも可能である。
【００２１】
上記構成において、術者が操作部１３の固定ハンドル１４１及ぶ可動ハンドル１４２を持ち、処置する所望の生体組織に対向させ、この状態で、可動ハンドル１４２を固定ハンドル１４１に対して回動させると、これに連動して一対の把持部１１１，１１２が上記駆動機構（図示せず）を介して開閉され、相互間で生体組織を把持する。この際、窓部１５の指針１５２は、上記駆動機構（図示せず）の駆動に連動して矢印方向に移動され、表示部１５１における一対の把持部１１１，１１２の所望の位置の開き度に対応した表示位置に停止される。
【００２２】
ここで、術者は、把持部１１１，１１２で把持する生体組織を視認しながら、指針１５２の位置する表示部１５１の表示を読み取ることで、生体組織の形状寸法を知ることができる。この結果、術者は、生体組織の形状寸法に応じた適切な切開処置等の処置を行うことが可能となる。
【００２３】
このように、上記手術用処置具は、生体組織を処置する開閉可能な一対の把持部１１１，１１２の近傍に、該把持部１１１，１１２の開き度を表示する表示部１５１及び指針１５２を設けて、一対の把持部１１１，１１２の先端から基端の間における少なくとも１ヶ所の開き度を表示するように構成した。
【００２４】
これによれば、一対の把持部１１１，１１２で生体組織を把持した状態で、該一対の把持部１１１，１１２の所望の位置の開き度が表示されることにより、術者は、生体組織から目を離すこと無く、生体組織を目視した状態で、その形状寸法が把握される。これにより、生体組織の正確な形状寸法を確実に把握することができることで、生体組織の高精度な処置操作が可能となり、使い勝手の向上が図れる。
【００２５】
なお、上記説明では、一対の把持部１１１，１１２の双方が対向して回動可能に構成した場合で説明したが、これに限ることなく、その他、一対の把持部１１１，１１２の一方のみを他方に対して回動可能に配するように構成してもよい。
【００２６】
（第２の実施の形態）
図２は、この発明の第２の実施の形態に係る手術用処置具を示すもので、超音波凝固切開装置を構成する挿入部２０には、その先端部にプローブ２１が延出される。また、挿入部２０の先端部には、可動ジョーと称する把持部２２が、回動軸２２１を介してプローブ２１に対向して矢印方向に開閉自在に設けられる（図３参照）。
【００２７】
また、挿入部２０の基端には、図３に示すように操作部２３が配される。この操作部２３には、固定ハンドル２４１に対して可動ハンドル２４２が回動軸２４３を介して回動自在に設けられ、この可動ハンドル２４２の固定ハンドル２４１に対する回動操作に連動して上記把持部２２を、挿入部２０内に内装されるリンク機構、カム機構等で形成される図示しない駆動機構を介してプローブ２１に対向して矢印方向に開閉させる。
【００２８】
そして、操作部２３には、超音波振動子２５が配される。この超音波振動子２５は、ケーブル２６を介して超音波駆動電源２７に接続され、この超音波駆動電源２７からの電力を超音波振動に変換して図示しないホーンで増幅して上記プローブ２１に伝達する。
【００２９】
上記可動ハンドル２４２の回動軸２４３には、開き幅である開き度検出用のエンコーダ２８が同軸的に設けられ、このエンコーダ２８の出力端は、デコーダ２９を介してコントローラ３０に接続される。エンコーダ２８は、可動ハンドル２４２の固定ハンドル２４１に対する回転角を検出してデコーダ２９に出力する。デコーダ２９は、入力した角度情報に基づいて、例えば把持部２２の先端から基端の間における所望の１ヶ所におけるプローブ２１に対する開き度を求めてコントローラ３０に出力する。
【００３０】
コントローラ３０には、手術用機器である画像取得装置を構成する内視鏡３１の画像出力端が接続され、この内視鏡３１で撮像した術部画像が選択的に入力される。内視鏡３１には、光源３２が接続され、この光源３２からの光を術部に照射して術部の画像情報を取得する。また、上記コントローラ３０の出力端には、ＴＶモニター３３が接続され、上記デコーダ２９からの開き度情報及び内視鏡３１からの術部画像情報をＴＶモニター３３に出力して各情報を表示する。
【００３１】
また、上記ＴＶモニター３３に表示される把持部２２のプローブ２１に対する開き度情報は、例えば図示しない記録装置により記録される。この場合、上記術部画像情報と時間軸を統一して記録される。これにより、例えば記録情報に基づいた処置検討を行うことができる。
【００３２】
上記構成により、術者は、操作部２３の可動ハンドル２４２を操作して術部の生体組織を把持部２２とプローブ２１とにより把持すると共に、内視鏡３１により、術部の画像を撮像する。ここで、可動ハンドル２４２の回転角がエンコーダ２８により検出され、この角度情報がデコーダ２９に入力され、この角度情報に基づいて開き度が求められ、開き度情報としてコントローラ３０に入力される。同時に、コントローラ３０には、上記内視鏡３１からの術部画像情報が入力され、この術部画像情報と上記把持部２２の開き度情報をＴＶモニター３３に出力して表示する。
【００３３】
ここで、術者は、把持部２２とプローブ２１との間で生体組織を把持しつつ、ＴＶモニター３３に表示される開き度情報及び術部画像を目視することにより、術部から目を離すこと無く、把持した生体組織の厚みや直径等の寸法形状が把握される。この状態で、術者は、フットスイッチ等の図示しないスイッチを操作して、超音波駆動電源２７からの電力を超音波振動子２５に供給して超音波振動を発生させ、上記ホーン（図示せず）を介して増幅させた超音波振動をプローブ２１に伝達し、生体組織を蛋白凝固と把持力による剪断によって凝固切開する。
【００３４】
この第２の実施の形態によれば、ＴＶモニター３３を目視するだけで、術部から目を離すことなく、術部を目視しながら生体組織の形状寸法を確認することが可能となることで、さらに、生体組織の正確な形状寸法を確実に把握することが可能となる。従って、さらに、取扱い操作を含む使い勝手の向上が図れる。
【００３５】
（第３の実施の形態）
図４は、この発明の第３の実施の形態に係る手術用処置具を示すもので、上記第２の実施の形態と略同様の効果を期待することができる。但し、この第４の実施の形態では、処置具構造を除き上記第２の実施の形態と略同様に構成されることで、同一部分については、同一符号を付して、その詳細な説明を省略する。
【００３６】
即ち、第３の実施の形態においては、挿入部４０の先端には、一対の把持部４１１，４１２が回動軸４１３を介して矢印方向に開閉自在に設けられる。この一対の把持部４１１，４１２は、互いに絶縁され、上記挿入部４０内に内装されるリンク機構、カム機構等で形成される図示しない駆動機構を介して開閉駆動される。
【００３７】
また、挿入部４０の基端には、操作部４２が配される。この操作部４２には、固定ハンドル４３１に対して可動ハンドル４３２が回動軸４３３を介して回動自在に設けられ、この可動ハンドル４３２の固定ハンドル４３１に対する回動操作に連動して上記駆動機構（図示せず）を介して上記一対の把持部４１１，４１２を矢印方向に開閉させる。
【００３８】
上記操作部４２には、双極の電極ピン４４が設けられ、この電極ピン４４は、上記一対の把持部４１１，４１２と電気的に接続される。そして、この電極ピン４４には、電極コード４５の一端が装着される。この電極コード４５は、図示しない電気メス電源に接続され、この電気メス電源（図示せず）からのバイポーラ電流を上記電極ピン４４に印加する。
【００３９】
また、上記可動ハンドル２４２の回動軸２４３には、開き幅である開き度検出用のエンコーダ４６が同軸的に設けられ、このエンコーダ４６の出力端は、同様に上記デコーダ２９、上記コントローラ３０を介してＴＶモニタ３３ーに接続される（上記図２参照）。そして、このエンコーダ４６は、可動ハンドル４３２の固定ハンドル４３１に対する回転角を検出してデコーダ２９に出力する。デコーダ２９は、入力した角度情報に基づいて、例えば把持部４１１、４１２の先端から基端の間における所望の１ヶ所における開き度を求めてコントローラ３０に出力し、該コントローラ３０を介して上記ＴＶモニター３３に開き度情報を表示する。この際、ＴＶモニター３３には、同様に上記内視鏡３１で撮像した術部画像が上記開き度情報と共に表示される。
【００４０】
なお、ＴＶモニター３３に表示される把持部４１１，４１２の開き度情報は、同様に上記記録装置（図示せず）により記録される。この場合、上記術部画像情報と時間軸を統一して記録される。これにより、同様に記録情報に基づいた処置検討を行うことができる。
【００４１】
上記構成により、術者は、操作部４２の可動ハンドル４３２を操作して術部の生体組織を把持部４１１，４１２とにより把持すると共に、上記内視鏡３１により、術部の画像を撮像する。ここで、可動ハンドル４３２の回転角がエンコーダ４６により検出され、この角度情報がデコーダ２９に入力され、この角度情報に基づいて開き度が求められ、開き度情報としてコントローラ３０に入力される。同時に、コントローラ３０には、内視鏡３１からの術部画像情報が入力され、この術部画像情報と上記把持部４１１，４１２の開き度情報をＴＶモニター３３に出力して表示する。
【００４２】
ここで、術者は、把持部４１１，４１２との間で生体組織を把持しつつ、ＴＶモニター３３に表示される開き度情報及び術部画像を目視することにより、術部から目を離すこと無く、把持した生体組織の厚みや直径等の寸法形状が把握される。この状態で、術者は、フットスイッチ等の図示しないスイッチを操作して、上記電気メス電源（図示せず）からのバイポーラ電流を電極コード４５を介して電極ピン４４に供給して把持部４１１，４１２に印加し、生体組織を焼灼もしくは凝固しつつ把持力による剪断によって切断する。
【００４３】
（第４の実施の形態）
図５は、この発明の第４の実施の形態に係る手術用処置具を示すもので、上記第２の実施の形態と略同様の効果を期待することができる。但し、この第４の実施の形態では、処置具構造を除き上記第２の実施の形態と略同様に構成されることで、同一部分については、同一符号を付して、その詳細な説明を省略する。
【００４４】
即ち、第４の実施の形態においては、挿入部５０の先端には、固定把持部５１１に対して可動把持部５１２が回動軸５１３を介して回動自在に配される。可動把持部５１２は、上記挿入部５０内に内装されるリンク機構、カム機構等で形成される図示しない駆動機構を介して矢印方向に開閉駆動される。
【００４５】
また、上記挿入部５０の基端には、操作部５２が配される。この操作部５２には、固定ハンドル５３１に対して可動ハンドル５３２が回動軸５３３を介して回動自在に設けられ、この可動ハンドル５３２の固定ハンドル５３１に対する回動操作に連動して上記駆動機構（図示せず）を介して可動把持部５１２を固定把持部５１１に対向して矢印方向に開閉させる。
【００４６】
そして、固定把持部５１１には、発熱体であるヒーター５４が可動把持部５１２に対向して設けられる。このヒーター５４は、操作部５２に接続された接続コード５５を介して図示しない電源に接続される。これにより、ヒーター５４は、上記電源（図示せず）からの電流が接続コード５５を介して供給されて加熱制御される。
【００４７】
上記可動ハンドル５３２の回動軸５３３には、開き幅である開き度検出用のエンコーダ５６が同軸的に設けられ、このエンコーダ５６の出力端は、同様に上記デコーダ２９、上記コントローラ３０を介してＴＶモニター３３に接続される（上記図２参照）。そして、このエンコーダ５６は、可動ハンドル５３２の固定ハンドル５３１に対する回転角を検出してデコーダ２９に出力する。デコーダ２９は、入力した角度情報に基づいて、例えば可動把持部５１２の先端から基端の間における所望の１ヶ所における固定把持部５１１に対する開き度を求めてコントローラ３０に出力し、該コントローラ３０を介して上記ＴＶモニター３３に開き度情報を表示する。この際、ＴＶモニター３３には、同様に上記内視鏡３１で撮像した術部画像が上記開き度情報と共に表示される。
【００４８】
なお、ＴＶモニター３３に表示される可動把持部５１２の固定把持部５１１に対する開き度情報は、同様に上記記録装置（図示せず）により記録される。この場合、上記術部画像情報と時間軸を統一して記録される。これにより、同様に記録情報に基づいた処置検討を行うことができる。
【００４９】
上記構成により、術者は、操作部５２の可動ハンドル５３２を操作して可動把持部５１２を回動させて術部の生体組織を固定把持部５１１とにより把持すると共に、上記内視鏡３１により、術部の画像を撮像する。ここで、可動ハンドル５３２の回転角がエンコーダ５６により検出され、この角度情報がデコーダ２９に入力され、この角度情報に基づいて開き度が求められ、開き度情報としてコントローラ３０に入力される。同時に、コントローラ３０には、内視鏡３１からの術部画像情報が入力され、この術部画像情報と上記固定把持部５１１に対する可動把持部５１２の開き度情報をＴＶモニター３３に出力して表示する。
【００５０】
ここで、術者は、可動把持部５１２と固定把持部５１１との間で生体組織を把持しつつ、ＴＶモニター３３に表示される開き度情報及び術部画像を目視することにより、術部から目を離すこと無く、把持した生体組織の厚みや直径等の寸法形状が把握される。この状態で、術者は、フットスイッチ等の図示しないスイッチを操作して、上記電源（図示せず）からの電流を接続コード５５を介してヒーター５４に印加し、生体組織を加熱して蛋白凝固させつつ把持力による剪断によって切断する。
【００５１】
なお、上記第２乃至第３の実施の形態では、開き度情報と術部画像を表示するように構成した場合で説明したが、これに限ることなく、その他、上記開き度と共に、超音波振動あるいは、高周波電流（若しくはラジオ波電流）あるいは、ヒーター熱量の値を表示するように構成しても良い。
【００５２】
また、上記第１乃至第４の実施の形態では、手術用機器として内視鏡３１を用いて構成した場合で説明したが、これに限ることなく、その他、例えば顕微鏡を用いて構成することも可能で、同様の効果が期待される。
【００５３】
さらに、処置具構造としては、上記第１乃至第４の実施の形態で説明した処置具構造に限ることなく、その他、各種の処置具構造のものを用いて構成することが可能で、いずれの構造においても同様の効果が期待される。
【００５４】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００５５】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５６】
また、この発明は、上記各実施の形態によれば、その他、次のような構成を得ることもできる。
【００５７】
（付記１）
少なくとも一方の把持部が可動する一対の把持部により生体組織を把持することができる処置具において、
前記把持部の配される挿入部の該把持部近傍に把持部の所定の位置における少なくとも１ヶ所の開き度を表示する表示手段を設けたことを特徴とする手術用処置具。
【００５８】
（付記２）
少なくとも一方の把持部が可動する一対の把持部により生体組織を把持することができる処置具において、
前記把持部の所定の少なくとも１ヶ所の開き度を計測する開き度検出部と、
前記開き度検出部で検出した開き幅情報を表示する表示手段と
を具備することを特徴とする手術用処置具。
【００５９】
（付記３）
付記２において、前記表示手段は、前記開き度検出部によって得られた開き度情報と共に、術部画像を表示することを特徴とする手術用処置具。
【００６０】
（付記４）
付記２又は３において、前記開き度検出部で検出した開度情報を記録する記録手段を具備することを特徴とする手術用処置具。
【００６１】
（付記５）
付記４において、前記記録手段は、前記開き度検出部で検出した開度情報と前記手術用機器の表示情報を時間軸を統一して記録することを特徴とする手術用処置具。
【００６２】
（付記６）
付記１乃至５のいずれかにおいて、前記一対の把持部は、少なくとも一方に高周波電流あるいはラジオ波電流が選択的に供給されることを特徴とする手術用処置具。
【００６３】
（付記７）
付記６において、前記一対の把持部は、閉回路を形成することを特徴とする手術用処置具。
【００６４】
（付記８）
付記１乃至５のいずれかにおいて、前記一対の把持部は、少なくとも一方に超音波振動が選択的に伝達されることを特徴とする手術用処置具。
【００６５】
（付記９）
付記１乃至５のいずれかにおいて、前記一対の把持部は、少なくとも一方に発熱体が設けられることを特徴とする手術用処置具。
【００６６】
（付記１０）
生体組織を処置する少なくとも一方が可動自在に配された少なくとも一方に高周波電流あるいはラジオ波電流が選択的に供給される開閉可能な一対の把持部と、
前記一対の把持部の先端から基端の間における少なくとも１ヶ所の開き度を検出する開き度検出部と、
前記開き度検出部で検出した開き度情報を表示する表示手段と、
前記開き度検出部で検出した開き度情報と、手術用機器の表示情報または前記一対の把持部の少なくとも一方に供給される高周波電流あるいはラジオ波電流の値の少なくともいずれか一方とを時間軸を統一して記録する記録手段と
を具備することを特徴とする手術用処置具。
【００６７】
（付記１１）
生体組織を処置する少なくとも一方が可動自在に配された少なくとも一方に超音波振動が選択的に伝達される開閉可能な一対の把持部と、
前記一対の把持部の先端から基端の間における少なくとも１ヶ所の開き度を検出する開き度検出部と、
前記開き度検出部で検出した開き度情報を表示する表示手段と、
前記開き度検出部で検出した開き度情報と、手術用機器の表示情報または前記一対の把持部の少なくとも一方に伝達される超音波振動の値の少なくともいずれか一方とを時間軸を統一して記録する記録手段と
を具備することを特徴とする手術用処置具。
【００６８】
（付記１２）
生体組織を処置する少なくとも一方が可動自在に配された少なくとも一方に発熱体が設けられる開閉可能な一対の把持部と、
前記一対の把持部の先端から基端の間における少なくとも１ヶ所の開き度を検出する開き度検出部と、
前記開き度検出部で検出した開き度情報を表示する表示手段と、
前記開き度検出部で検出した開き度情報と、手術用機器の表示情報または前記一対の把持部の少なくとも一方に設けられる発熱体の熱量の値の少なくともいずれか一方とを時間軸を統一して記録する記録手段と
を具備することを特徴とする手術用処置具。
【図面の簡単な説明】
【００６９】
【図１】この発明の第１の実施の形態に係る手術用処置具の構成を示した図である。
【図２】この発明の第２の実施の形態に係る手術用処置具の構成を示した図である。
【図３】図２の処置具を取り出して示した図である。
【図４】この発明の第３の実施の形態に係る手術用処置具の構成を示した図である。
【図５】この発明の第４の実施の形態に係る手術用処置具の構成を示した図である。
【符号の説明】
【００７０】
１０…挿入部、１１１，１１２…把持部、１２…回動軸、１０…第１のアーム、１３…操作部、１４１…固定ハンドル、１４２…可動ハンドル、１４３…回動軸、１５…窓部、１５１…表示部、１５２…指針、１５，１５１…発熱体、２０…挿入部、２１…プローブ、２２…把持部、２２１…回動軸、２３…操作部、２４１…固定ハンドル、２４２…可動ハンドル、２４３…回動軸、２５…超音波振動子、２６…ケーブル、２７…超音波駆動電源、２８…エンコーダ、２９…デコーダ、３０…コントローラ、３１…内視鏡、３２…光源、３３…ＴＶモニター、４０…挿入部、４１１，４１２…把持部、４１３…回動軸、４２…操作部、４３１…固定ハンドル、４３２…可動ハンドル、４３３…回動軸、４４…電極ピン、４５…電極コード、４６…エンコーダ、５０…挿入部、５１１…固定把持部、５１２…可動把持部、５１３…回動軸、５２…操作部、５３１…固定ハンドル、５３２…可動ハンドル、５３３…回動軸、５４…ヒーター、５５…接続コード、５６…エンコーダ。
【図１】
2005349022.tif 000003
【図２】
2005349022.tif 000004
【図３】
2005349022.tif 000005
【図４】
2005349022.tif 000006
【図５】
2005349022.tif 000007